(57)【要約】【課題】被処理水を収容したボトル容器と浄水器との間に取り付け、短時間で被処理水を浄水に変えることができる浄水器アダプターを提供する。【解決手段】この浄水器アダプター１は、一端に被処理水を収容するボトル容器の注ぎ口を連結する容器連結部分４１、他端に浄水器の水道連結口を連結する浄水器連結部分４２、を有する管状の通水部４と、通水部４に空気を取入れることができる開閉可能な空気取入孔５１を有して通水部４の側面に連設した管状の空気取入部５と、を備える。【選択図】図３
2008307462.tif 000002
【特許請求の範囲】
【請求項１】
一端に被処理水を収容するボトル容器の注ぎ口を連結する容器連結部分、他端に浄水器の水道連結口を連結する浄水器連結部分、を有する管状の通水部と、
該通水部に空気を取入れることができる開閉可能な空気取入孔を有して通水部の側面に連設した管状の空気取入部と、を備えることを特徴とする浄水器アダプター。
【請求項２】
請求項１に記載の浄水器アダプターにおいて、
前記空気取入孔を開閉可能とする進退自在な蓋体を更に備え、
該蓋体を進行させたとき空気取入孔を閉塞し、蓋体を退行させたとき空気取入孔を開放することを特徴とする浄水器アダプター。
【請求項３】
請求項２に記載の浄水器アダプターにおいて、
前記蓋体が第２の空気取入孔を有するとともに、空気を通過させるためのスリットを有して蓋体に重合する弾性部材を設け、第２の空気取入孔は該弾性部材に内部の被処理水の圧力がかかると閉塞することを特徴とする浄水器アダプター。
【請求項４】
請求項１に記載の浄水器アダプターにおいて、
空気を通過させるためのスリットを有して前記空気取入孔が形成された面に重合する弾性部材を設け、空気取入孔は該弾性部材に内部の被処理水の圧力がかかると閉塞することを特徴とする浄水器アダプター。
【請求項５】
請求項３又は４に記載の浄水器アダプターにおいて、
前記弾性部材には、前記第２の空気取入孔又は前記空気取入孔から空気取入部の外側に突出する突出部が形成されていることを特徴とする浄水器アダプター。
【発明の詳細な説明】
【技術分野】
【０００１】
本発明は、浄水器に取り付ける浄水器アダプターに関し、特に、災害等の緊急時に、被処理水を収容したボトル容器を取り付けて浄水器により被処理水の浄化を行うのに好適な浄水器アダプターに関する。
【背景技術】
【０００２】
災害等の緊急時において、飲用に適した水を手に入れることは最も重要なことの一つである。そのためには、例えば特許文献１、２に記載されているようなボトル容器を取り付けるタイプの浄水器を利用し、ペットボトルに浄水前の水を収容して取り付けて浄水を得ることが有効である。特許文献１の浄水器は、水を収容したボトル容器を結合する上部受け口と空ボトル容器を結合する下部受け口を濾過材の上下に配し、上部受け口、濾過材、下部受け口の中を通過して上下に伸長する通気用パイプが設けられ、空気が通気用パイプの中を上昇して上側のボトル容器の天井部に溜まることにより水の降下が助けられ、そして水が浄化されるとするものである。特許文献２の浄水器は、水を収容したボトル容器を結合するジョイントを濾過材の上に有し、ジョイントの壁面を貫通し、ジョイント内部で屈曲してボトル容器内部に延びる通気用パイプが設けられ、空気が通気用パイプの中を上昇してボトル容器の天井部に溜まることにより水の降下が助けられ、そして水が浄化されるとするものである。
【０００３】
【特許文献１】特開２００２−５２３８２号公報
【特許文献２】国際公開ＷＯ０１／０４０１１６号公報
【発明の開示】
【発明が解決しようとする課題】
【０００４】
このように、ボトル容器を取り付けるタイプの浄水器は緊急時に飲用に適した水を手に入れるのに有効であるが、空気が通気用パイプの中を上昇してボトルの天井部に溜まることにより水が降下するので、短時間に所望の浄水を得るのには十分とは言い難い。また、広く用いられている浄水器は水道から蛇口等を通して供給される水を浄化するタイプであるから、緊急時にはこのような浄水器を流用できるのが望ましい。
【０００５】
本発明は、係る事由に鑑みてなされたものであり、その目的は、被処理水を収容したボトル容器と浄水器との間に取り付け、短時間で被処理水を浄水に変えることができる浄水器アダプターを提供することにある。
【課題を解決するための手段】
【０００６】
上記目的を達成するために、請求項１に記載の浄水器アダプターは、一端に被処理水を収容するボトル容器の注ぎ口を連結する容器連結部分、他端に浄水器の水道連結口を連結する浄水器連結部分、を有する管状の通水部と、該通水部に空気を取入れることができる開閉可能な空気取入孔を有して通水部の側面に連設した管状の空気取入部と、を備えることを特徴とする。
【０００７】
請求項２に記載の浄水器アダプターは、請求項１に記載の浄水器アダプターにおいて、前記空気取入孔を開閉可能とする進退自在な蓋体を更に備え、該蓋体を進行させたとき空気取入孔を閉塞し、蓋体を退行させたとき空気取入孔を開放することを特徴とする。
【０００８】
請求項３に記載の浄水器アダプターは、請求項２に記載の浄水器アダプターにおいて、前記蓋体が第２の空気取入孔を有するとともに、空気を通過させるためのスリットを有して蓋体に重合する弾性部材を設け、第２の空気取入孔は該弾性部材に内部の被処理水の圧力がかかると閉塞することを特徴とする。
【０００９】
請求項４に記載の浄水器アダプターは、請求項１に記載の浄水器アダプターにおいて、空気を通過させるためのスリットを有して前記空気取入孔が形成された面に重合する弾性部材を設け、空気取入孔は該弾性部材に内部の被処理水の圧力がかかると閉塞することを特徴とする。
【００１０】
請求項５に記載の浄水器アダプターは、請求項３又は４に記載の浄水器アダプターにおいて、前記弾性部材には、前記第２の空気取入孔又は前記空気取入孔から空気取入部の外側に突出する突出部が形成されていることを特徴とする。
【発明の効果】
【００１１】
本発明の浄水器アダプターによれば、必要なときに空気取入部の空気取入口から空気を被処理水を収容したボトル容器に取入れることができるので、短時間で浄水器により被処理水を浄水に変えることが可能になる。
【発明を実施するための最良の形態】
【００１２】
以下、本発明を実施するための最良の形態を図面を参照しながら説明する。本発明の実施形態に係る浄水器アダプター１は、市販の浄水器２に取り付け、更に被処理水ＷＡを収容したボトル容器３を取り付けて使用するものである。図１は、浄水器アダプター１の具体的な使用方法の例を示す図である。浄水器２は、水道から蛇口等を通して供給される水を浄化するタイプのもの（例えば、蛇口直結型や据え置き型など）である。ボトル容器３は、手の圧力によりある程度変形できるものであり、現在広く入手できる点からペットボトルが望ましい。図１に示す使用方法の例の詳細については、後に説明する。
【００１３】
図２は浄水器アダプター１の構造を示すものであり、（ａ）、（ｂ）はそれぞれ、正面図、側面図である。図３は、側面断面図である。この浄水器アダプター１は、管状の通水部４とその側面から垂直方向に突出して連設した管状の空気取入部５と、を備えている。この実施形態では、通水部４と空気取入部５は、一体に形成されており、材質は例えばプラスチックである。また、空気取入部５は、後述のようにボトル容器３の形状復元時に被処理水ＷＡが漏れないようにするためなどの点から、通水部４に対し垂直又は略垂直方向に突出するのが望ましいが、それには限定されない。
【００１４】
通水部４は、一端に被処理水を収容するボトル容器３の注ぎ口３１を連結する容器連結部分４１、他端に浄水器２の水道連結口２１を連結する浄水器連結部分４２、を有する。容器連結部分４１の内側は、ボトル容器３の注ぎ口３１と良好に連結できるようボトル容器３用のキャップの内側の形状と実質的に同一な形状となっている。具体的には、ボトル容器３の注ぎ口３１と螺合するように、雌ねじ４１ａが形成されている。
【００１５】
浄水器連結部分４２は、例えば一般的な水道蛇口の形状のように、水道に連結する通常の方法で浄水器２の水道連結口２１が連結できるような形状である。
【００１６】
空気取入部５は、先端が空気を内部に取入れることができるよう開口して空気取入孔５１となっている。また、空気取入孔５１を開閉可能とする進退自在な蓋体６が設けられ、蓋体６を進行させたとき空気取入孔５１を閉塞し、蓋体６を退行させたとき空気取入孔５１を開放する。具体的には、空気取入部５は、基端側に鍔部５ｂを突設し、先端から鍔部５ｂに至る外側面には雄ねじ５ａを形成しており、また、蓋体６は、有底筒状をなし、その内側面には雄ねじ５ａに対応して雌ねじ６ａを形成しており、これにより空気取入部５に蓋体６が螺合するようになっている。また、空気取入部５の雄ねじ５ａの最深部には、Ｏリングのようなパッキン部材５２が嵌め込まれており、蓋体６を進行させてその底部が空気取入孔５１を閉塞した状態で、蓋体６と鍔部５ｂによりパッキン部材５２を弾性的に押圧して被処理水ＷＡの漏出或いは空気の漏入がないようにしている。この状態から、蓋体６を回動させて退行させると、蓋体６の底部が空気取入部５の先端から離反して空気取入孔５が開放され、外部の空気は、雄ねじ５ａと雌ねじ６ａの隙間を通過して、空気取入孔５１から浄水器アダプター１の内部及びボトル容器３の内部に取入れられる。
【００１７】
次に、図１を参照して浄水器アダプター１の使用方法を説明する。先ず、浄水器アダプター１の浄水器連結部分４２（図２参照）を浄水器２の水道連結口２１に連結し、容器連結部分４１（図２参照）に被処理水ＷＡを収容したボトル容器３の注ぎ口３１を連結する。浄水器２、浄水器アダプター１、ボトル容器３が順にほぼ鉛直状態になるように手で支持し、浄水器２の下方に浄水を受けるための水受け容器７を据える。そして、片手又は両手でボトル容器３に圧力を加えて被処理水ＷＡを浄水器２に向かって押し出し、浄水器２から水受け容器７に浄水を供給する。このように、ボトル容器３に手で圧力を加えて被処理水ＷＡを押し出し、できるだけ水道水の圧力に近づけることで、日常使用している浄化能力が高い浄水器２を用いて、特に緊急時であっても浄水を得ることが可能になる。
【００１８】
ボトル容器３は、ある程度までは変形するものの限界があり、手で圧力を加えて処理を続けると、浄水器に必要な水圧が段々と得られなくなってくる。この場合、ボトル容器３を変形前の形状に一旦可能な限り復元させる必要がある。そのため、空気取入孔５１を開放しても被処理水ＷＡが漏れないよう空気取入部５を上側にして浄水器２、浄水器アダプター１、ボトル容器３をほぼ水平状態とし、蓋体６を回動して退行させて空気取入孔５１を開放し、ボトル容器３の数箇所に軽く手で圧力をかけてボトル容器３の応力を導き、形状を復元させる。そうすると、ボトル容器３及び浄水器アダプター１の内部の空気圧の減少により、外部の空気は空気取入孔５１から浄水器アダプター１及びボトル容器３の内部に取入れられ、更に復元を補助する。そして、蓋体６を逆方向に回動して進行させて空気取入孔５１を閉塞し、浄水器２、浄水器アダプター１、復元したボトル容器３をほぼ鉛直状態とし、再度ボトル容器３に手で圧力を加えて残りの被処理水ＷＡを押し出して浄水処理を行う。このように、空気取入孔５１から空気を必要なときにボトル容器に取入れることができるので、緊急時の浄水処理を連続して行い、短時間に多量の浄水を得ることが可能になる。
【００１９】
次に、本発明の他の実施形態である浄水器アダプター１Ａについて説明する。図４は浄水器アダプター１Ａの構造を示すものであり、（ａ）、（ｂ）はそれぞれ、正面図、側面図である。図５は、側面断面図である。この浄水器アダプター１Ａは、空気取入部５Ａの構造が浄水器アダプター１の空気取入部５の構造と異なる。
【００２０】
空気取入部５Ａは、先端に空気取入面５０Ａを有し、その中央に空気取入孔５１Ａが形成されている。本実施形態の空気取入孔５１Ａは、空気取入面５０Ａの厚みの途中から頭裁円錐形状（例えば、外側の直径約３ｍｍ、内側の直径約７ｍｍ）を成して内側に広がっている。空気取入面５０Ａには、次に説明する弾性部材である弁体８（例えばゴム製）が重合して設けられ、周縁部が接着している。
【００２１】
図６は弁体８の構造を示すものであり、（ａ）、（ｂ）はそれぞれ、平面図、側面図である。弁体８は、円盤状（例えば、直径約１４ｍｍ、高さ約２ｍｍ）の基部の片面に、空気取入孔５１Ａに嵌合する頭裁円錐状の可動突起（例えば、底面の直径約７ｍｍ、上面の直径約３ｍｍ、高さ約２ｍｍ）８ａが形成されている。そして、可動突起８ａを可動とし、かつ空気を弁体８を通過させるために、可動突起８ａの周囲には、所定長の円弧状のスリット（例えば、半径約５ｍｍの円周の約３／４の長さで幅約０．５ｍｍ）８ｂが形成されている。
【００２２】
浄水器アダプター１Ａの使用方法は、空気取入の操作以外は浄水器アダプター１と同様である。浄水器２、浄水器アダプター１Ａ、ボトル容器３をほぼ鉛直状態にして浄水を得ているときには、弁体８の可動突起８ａには内側から水圧がかかり、外側に向かって押さえ付けられる。従って、可動突起８ａは空気取入孔５１Ａを塞ぐように嵌合するので、空気取入孔５１Ａは閉塞され、被処理水ＷＡは漏れなくなる。空気取入孔５１Ａを開放するには、空気取入部５Ａを上側にして浄水器２、浄水器アダプター１Ａ、ボトル容器３をほぼ水平状態とし、ボトル容器３の数箇所に軽く手で圧力をかけてボトル容器３の応力を導き、形状を復元させる。そうすると、可動突起８ａには水圧がかからず、可動突起８ａ自体の重さにより更にはボトル容器３及び浄水器アダプター１Ａの内部の空気圧の減少により、可動突起８ａが空気取入孔５１Ａから離反して隙間が生じる。外部の空気がこの空気取入孔５１Ａからスリット８ｂを介して内部に流れ込み、その圧力により空気取入孔５１Ａが更に開くことになる。このように、浄水器アダプター１Ａは、空気を必要なときに自動的に取入れることができるので、緊急時の浄水処理を更に効率的にすることが可能になる。
【００２３】
図７は、浄水器アダプター１Ａの変形例である浄水器アダプター１Ａ’を示す側面断面図である。この浄水器アダプター１Ａ’の弁体８’には、空気取入孔５１Ａから空気取入面５０Ａの外側に突出する突出部８ｃが形成されている。浄水器アダプター１Ａの基本的な作用は浄水器アダプター１Ａと同様であるが、このように突出部８ｃを設けると、空気取入孔５１Ａを開放する際に、突出部８ｃを押すことにより可動突起８ａを空気取入孔５１Ａから離反させ易くすることができる。なお、この変形は、後述の浄水器アダプター１Ｂにも適用可能である。
【００２４】
次に、本発明の更に他の実施形態である浄水器アダプター１Ｂについて説明する。図８は浄水器アダプター１Ｂの構造を示すものであり、（ａ）、（ｂ）はそれぞれ、正面図、側面図である。図９は、側面断面図である。この浄水器アダプター１Ｂは蓋体６Ｂを備え、蓋体６Ｂの構造が浄水器アダプター１の蓋体６の構造と異なる。
【００２５】
蓋体６Ｂは、その底面の中央に、第２の空気取入孔５１Ｂが形成されている。また、蓋体６Ｂの底面に重合して弁体８Ｂが設けられている。第２の空気取入孔５１Ｂ及び弁体８Ｂの構造や作用は、浄水器アダプター１Ａの空気取入孔５１Ａ及び弁体８と同様である。この浄水器アダプター１Ｂは、空気取入の操作を浄水器アダプター１Ａと同様に自動的に行うことができ、また、浄水器アダプター１と同様に蓋体６Ｂを退行させることによっても行うことができる。このようにすると、仮に弁体８Ｂが適正に動作しなくなったとしても簡単に補えるし、弁体８Ｂの交換も容易である。なお、このような利点はなくなるが、空気取入部５と蓋体６Ｂに雄ねじや雌ねじを形成せずにそれらの間を接着剤で接着することも可能である。この場合は、空気取入孔５１は閉塞されたままになり、第２の空気取入孔５１Ｂだけが開閉可能な空気取入孔として働くことになるので、つまりは浄水器アダプター１Ａの形状を変更したものに相当する。
【００２６】
以上、本発明の実施形態に係る浄水器について説明したが、本発明は、上述の実施形態に記載したものに限られることなく、特許請求の範囲に記載した事項の範囲内でのさまざまな設計変更が可能である。例えば、空気取入部の先端に空気取入孔をが形成するのではなく、空気取入部の側面に形成することも可能である。
【図面の簡単な説明】
【００２７】
【図１】本発明の実施形態に係る浄水器アダプターの使用方法の例を示す図である。
【図２】同上の浄水器アダプターであり、（ａ）は正面図、（ｂ）は側面図である。
【図３】同上の浄水器アダプターの側面断面図である。
【図４】本発明の他の実施形態に係る浄水器アダプターであり、（ａ）は正面図、（ｂ）は側面図である。
【図５】同上の浄水器アダプターの側面断面図である。
【図６】同上の弁体であり、（ａ）は平面図、（ｂ）は側面図である。
【図７】同上の浄水器アダプターの変形例の側面断面図である。
【図８】本発明の更に他の実施形態に係る浄水器アダプターであり、（ａ）は正面図、（ｂ）は側面図である。
【図９】同上の浄水器アダプターの側面断面図である。
【符号の説明】
【００２８】
１、１Ａ、１Ａ’、１Ｂ  浄水器アダプター
２    浄水器
２１  水道連結口
３    ボトル容器
３１  注ぎ口
４    通水部
４１  容器連結部分
４２  浄水器連結部分
５、５Ａ  空気取入部
５１、５１Ａ、５１Ｂ  空気取入孔
６、６Ｂ  蓋体
８、８’、８Ｂ  弁体（弾性部材）
ＷＡ  被処理水
【図１】
2008307462.tif 000003
【図２】
2008307462.tif 000004
【図３】
2008307462.tif 000005
【図４】
2008307462.tif 000006
【図５】
2008307462.tif 000007
【図６】
2008307462.tif 000008
【図７】
2008307462.tif 000009
【図８】
2008307462.tif 000010
【図９】
2008307462.tif 000011